(57)【要約】【課題】格納スペースを改善するため、複数の格納箱をトレイに収納し、トレイを礼拝部に搬送するようにした装置では、トレイがコスト高となり、旋回装置を設けることで、コスト高となるとともに、デットスペースが増加するという課題を有していた。【解決手段】複数の納骨箱からなる納骨箱３組を各別に格納する格納棚１と、納骨箱が搬出される礼拝部１５と、前記格納棚と前記礼拝部１５下部で前記納骨箱３組を搬送する搬送手段を備えた自動納骨装置であって、礼拝部１５の下方で、水平方向にスライドし、納骨箱組のうち参拝対象納骨箱３を選択するコンベヤ１３と、該コンベヤ１３の下部に設けられ、前記参拝対象納骨箱３を礼拝部１５に搬出する昇降装置１４を設けたことを特徴とする自動納骨装置。【選択図】      図３
2004270227.tif 000002
【特許請求の範囲】
【請求項１】
複数の納骨箱からなる納骨箱組を各別に格納する格納棚と、納骨箱が搬出される礼拝部と、前記格納棚と前記礼拝部下部の間で前記納骨箱組を搬送する搬送手段を備えた自動納骨装置であって、礼拝部の下方で、水平方向にスライドし、納骨箱組のうち参拝対象納骨箱を選択する選択搬送装置と、前記選択搬送装置の下部に設けられ、前記参拝対象納骨箱を礼拝部に搬出する昇降装置を設けたことを特徴とする自動納骨装置。
【請求項２】
選択搬送装置は、前後方向及び、または、左右方向に納骨箱を搬送する装置であって、該礼拝部の下方には、納骨箱組のうち選択されない納骨箱を退避する退避スペースを設けたことを特徴とする請求項１記載の自動納骨装置。
【請求項３】
礼拝部は、前面側に延出する祭壇を有し、祭壇下部に退避スペースを設けたことを特徴とする請求項２記載の自動納骨装置。
【請求項４】
納骨箱組の各納骨箱は、参拝面が同一方向を向いていることを特徴とする請求項１〜３に記載の自動納骨装置。
【請求項５】
納骨箱組は、底面に昇降装置の荷受け部が挿通される開口部を有するトレイ上に、開口部に対応して収納されることを特徴とする請求項１〜４いずれかに記載の自動納骨装置。
【請求項６】
トレイは、内側面に納骨箱を定位置に案内するガイドを有することを特徴とする請求項５記載の自動納骨装置。
【発明の詳細な説明】
【０００１】
【発明の属する技術分野】
本発明は、自動納骨装置に関するもので、さらに詳しくは、納骨箱の格納効率、搬送効率を改善し、かつ、設備コストを軽減できる自動納骨装置に関する。
【０００２】
【従来の技術】
従来より、都市部や都市近接地域及び大規模寺院等においては、墓地スペースの確保が困難となってきており、墓地及び参拝スペースを確保する方策として、納骨箱を収納庫に立体的に収納し、自動搬送システムにより、礼拝部を備えた祭壇に搬送するようにした参拝、格納システムがすでに提案されてきている。さらに近年、納骨箱の格納スペースを改善するため、複数の納骨箱を仕切りを有するトレイに収納し、スタッカクレーンで礼拝部近傍に搬送し、参拝対象の納骨箱を旋回装置で回転させて礼拝部に搬送するようにしたものが知られている（特許文献１）。
【０００３】
しかし、上記した従来装置は、複数の納骨箱を収納するトレイに仕切りが設けられており、仕切りには厳かな雰囲気とするための装飾が施されるため、コスト高となり、また、上記した納骨箱を回転するための旋回装置をスタッカクレーンに設けると、搬器構造が従来のフォーク式に比し複雑となり、コスト高となり、また、搬器上で旋回するので、搬器のデットスペースが増加し、棚間の間隔が大きくなり、格納効率が悪くなるという問題を有する。
【０００４】
また、旋回装置を礼拝部に設けた場合であっても、他の納骨箱が参拝者に見えないような仕切り手段を必要とし、トレイ或いは装置が複雑となりコスト高になるという問題を有する。
【０００５】
【特許文献１】
特開平１０−２１３１（６頁、図３）
【０００６】
【発明が解決しようとする課題】
上記した通り、格納スペースを改善するため、複数の納骨箱をトレイに収納し、トレイを礼拝部に搬送するようにした従来装置では、前記した通り、トレイがコスト高となり、また、旋回装置を設けることで、さらにコスト高となるとともに、デットスペースが増加するという課題を有していた。
【０００７】
本発明は、上記課題を解決するもので、トレイは搬送用のみに用いるため装飾等を施す必要がなく、また、旋回装置を用いずに納骨箱を礼拝部に搬送するようにすることで、コスト及びデットスペースを低減でき、かつ、格納効率の高い自動納骨装置を提供するものである。
【０００８】
【課題を解決するための手段】
本発明は、複数の納骨箱からなる納骨箱組を各別に格納する格納棚と、納骨箱が搬出される礼拝部と、前記格納棚と前記礼拝部下部で前記納骨箱組を搬送する搬送装置を備えた自動納骨装置であって、礼拝部の下方で、水平方向にスライドし、納骨箱組のうち参拝対象納骨箱を選択する搬送装置と、該搬送装置の下部に設けられ、前記参拝対象納骨箱を礼拝部に搬出する昇降装置を設けたことを特徴とする。
【０００９】
本発明によると、複数の納骨箱からなる納骨箱組のなかから、参拝対象の納骨箱のみを選択して礼拝部に搬送するようにしたため、従来装置のように、トレイに装飾等を施す必要はなく、コスト低減できるとともに、複数の納骨箱を組みとして格納できるので、格納効率の良い自動納骨装置を提供できる。
【００１０】
【発明の実施の形態】
本発明の請求項１に記載の発明は、複数の納骨箱からなる納骨箱組を各別に格納する格納棚と、納骨箱が搬出される礼拝部と、前記格納棚と前記礼拝部下部の間で前記納骨箱組を搬送する搬送手段を備えた自動納骨装置であって、礼拝部の下方で、水平方向にスライドし、納骨箱組のうち参拝対象納骨箱を選択する選択搬送装置と、前記選択搬送装置の下部に設けられ、前記参拝対象納骨箱を礼拝部に搬出する昇降装置を設けたことを特徴とするもので、複数の納骨箱からなる納骨箱組のなかから、参拝対象の納骨箱のみを選択して礼拝部に搬送するようにしたため、従来装置のようにトレイに装飾等を施す必要はなく、コスト低減できるとともに、複数の納骨箱を組みとして格納できるので、格納効率の良い自動納骨装置を提供できる作用を有する。
【００１１】
請求項２に記載の発明は、選択搬送装置は、前後方向及び、または、左右方向に納骨箱を搬送する装置であって、該礼拝部の下方には、納骨箱組のうち選択されない納骨箱を退避する退避スペースを設けたことを特徴とするもので、礼拝部下部に水平方向の前後方向及び、または、左右方向に搬送する装置を設けたので、従来装置のように、搬送手段或いは礼拝部下部に旋回装置を設ける必要が無く、スタッカクレーン等の搬送手段も従来のフォーク式に比し複雑とならずコスト安となり、また、搬器上で旋回する必要が無いので、搬器のデットスペースが増加せず、棚間の間隔を大きくすることがないので、格納効率が良いという作用を有し、また、礼拝部下部に旋回装置を設ける必要がないので、装置が複雑とならずコスト安であるという作用を有する。
【００１２】
請求項３に記載の発明は、礼拝部は、前面側に延出する祭壇を有し、祭壇下部に退避スペースを設けたことを特徴とするもので、線香や供え物等を供える祭壇部下部のデットスペースを退避スペースとして使用することで、祭壇の幅を小さくすることができ、多数の祭壇を設けることが可能となり、参拝効率を向上させるとともに、装置全体を小形化し、コスト安とすることができる作用を有する。
【００１３】
請求項４記載の発明は、納骨箱組の各納骨箱は、参拝面が同一方向を向いていることを特徴とするもので、請求項１または２に記載の発明と同じ作用を有する。
【００１４】
請求項５記載の発明は、納骨箱組は、底面に昇降装置の荷受け部が挿通される開口部を有するトレイ上に、開口部に対応して収納されることを特徴とするもので、複数の納骨箱を確実に搬送できるとともに、納骨箱はトレイに収納されているので、納骨箱を搬送中に損傷を与えず搬送できる作用を有する。
【００１５】
請求項６記載の発明は、トレイは、内側面に納骨箱を定位置に案内するガイドを有することを特徴とするもので、納骨箱の位置決めが容易となり、昇降装置による礼拝部への確実な搬送が可能になる作用を有する。
【００１６】
【実施の形態１】
以下、図１〜図５を参照して、本発明の実施の形態１の自動納骨装置について説明する。
【００１７】
図１は本発明の自動納骨装置を示す平面図、図２は図１の側面図、図３は図１の部分拡大概要図、図４は図３の側面図、図５は礼拝部の参拝時における側面図、図６はトレイ及び納骨箱の正面図、図７（ａ）はトレイの正面図、（ｂ）は平面図である。
【００１８】
図において、１は２個の納骨箱からなる納骨箱組を格納する格納棚で、図に示すように、スタッカクレーン４等の搬送手段の走行通路に沿って両側に並設されている。２は納骨箱が収容されるトレイで、底面には後記する昇降装置のリフターが挿通できる開口２ａを、内側側面には納骨箱をトレイ２の所定位置に案内する傾斜面からなるガイド２ｂを備える。３は納骨箱で、各トレイ２に２個収容され、それぞれの納骨箱３における墓碑等の参拝面３ｃは同一方向に向いて収納されている。４は格納棚列間を走行するスタッカクレーン、５ａはスタッカクレーン４の走行方向の一側に設けられ、格納棚１からスタッカクレーン４で搬送されたトレイ２を台車７に移載するための出庫ステーション、５ｂは台車７で搬送されたトレイ２を格納棚１に入庫するため、スタッカクレーン４に移載するための入庫ステーション、６は入出庫ステーション５ａ、５ｂと後記するトラバーサ８間でトレイ２を搬送する台車７用レール、７は、入出庫ステーション５ａ、５ｂと入出庫移載ステーション間で、レール６上を走行し、トレイ２を搬送する台車、７ａはトレイ２を台車７からトラバーサ８に移載する出庫用移載ステーション、７ｂはトレイ２をトラバーサ８から台車７に移載する入庫用移載ステーション、８は台車７の走行方向に対して横方向に走行し、出庫用移載ステーション７ａから移載されたトレイ２を予め定められた礼拝部に付設された出庫用コンベヤ９に搬送し、また、礼拝部の回収用コンベヤ１０から入庫用移載ステーション７ｂに搬送するトラバーサ、９はトラバーサ８から移載されたトレイ２を出庫、回収用台車１１に搬送する出庫コンベヤ、１０は出庫、回収用台車１１から回収されるトレイ２をトラバーサ９に搬送する回収用コンベヤ、１１は出庫用コンベヤ９、回収用コンベヤ１０と参拝コンベヤ１２を連係する出庫、回収用台車で、出庫用コンベヤ９、回収用コンベヤ１０間で、トラバーサ８と同一方向に横方向に移動する。１２は出庫、回収用台車１１と礼拝部１４下部間でトレイ２を搬送し、参拝対象納骨箱３を選択する、選択搬送装置である参拝コンベヤ、１３は礼拝部１４の下方で、参拝用コンベヤ１２の下方に設けられ、参拝コンベヤ１２に載置されたトレイ２から参拝対象納骨箱３を参拝コンベヤ１２と上方の礼拝部１４間で昇降する昇降装置、１３ａは、昇降装置の上部に設けられ、トレイ２の開口２ａに挿通し、納骨箱３を上昇させる一対の荷受け部、１４は納骨箱３を参拝者に参拝面３ｃを向けて収納する礼拝部、１５は礼拝部の前面側に延出する祭壇、１６は退避スペースである。
【００１９】
なお、参拝コンベヤ１２は、トレイ２に載置された納骨箱３のうち、後方の納骨箱３ｂを礼拝部１４に昇降できるように、祭壇１５の下方に、前方の納骨箱３ａが退避できる退避スペース１６が設けられている。
【００２０】
次に、上記構成を備えた自動納骨装置の動作フローについて説明する。
【００２１】
まず、参拝者が参拝予約を行う。次に、ＣＰＵ（図示せず）は該当する納骨箱３が収納されているトレイ２と、空いている礼拝部１４を指定し、スタッカクレーン４は該当する納骨箱３が格納されている格納棚１からトレイ２をフォーク（図示せず）で移載し、出庫ステーション５ａに待機する台車７に搬送する。
【００２２】
次に、台車７で出庫用移載ステーション７ａに搬送し、トラバーサ８に移載して、トラバーサ８は予め定められた礼拝部１４に付設された出庫用コンベヤ９に搬送し、移載する。次に、トレイ２は出庫用コンベヤ９から出庫、回収用台車１１を介して、参拝コンベヤ１２に搬送される。参拝コンベヤ１２は、参拝対象の納骨箱３がトレイ２の前方に載置されている場合は、前方納骨箱３ａが礼拝部１４の下方位置に達すると搬送を停止する。
【００２３】
また、参拝対象の納骨箱３がトレイ２の後方に載置されている納骨箱３ｂ場合は、図３に示すように、前方の納骨箱３ａが礼拝部前方で祭壇下部の退避スペース１６に達し、後方の納骨箱３ｂが礼拝部の下方位置で、昇降装置１３の荷受け部１３ａ上方位置に達すると搬送を停止する。
【００２４】
次に、昇降装置１３が作動し、参拝コンベヤ１２にて搬送されたトレイ２の昇降装置用開口２ａから荷受け部１３ａにて該当する納骨箱３を礼拝部１４に持ち上げて定置し、参拝者は礼拝部１４に定置された納骨箱３に参拝する。参拝が終了すると、参拝者は参拝終了ボタンを押し、昇降装置１３を作動させ、納骨箱３をトレイ２上に降下させる。昇降装置１３が所定位置に下降すると、参拝コンベヤ１２が作動し、トレイ２を出庫・回収用台車１１に移載し、設台車１１は回収用コンベヤ１０方向に移動し、トレイ２を回収用コンベヤ１０から、該回収用コンベヤ１０側に待機しているトラバーサ８に移載し、入庫用移載ステーション７ｂに待機している台車７に搬送する。次に、トレイ２は台車７で入庫ステーション５ｂからスタッカクレーン４に移載され、所定の格納棚１に搬送されて、格納される。
【００２５】
また、上記実施の形態では、トレイ２に２個の納骨箱３を収納するものとして説明したが、納骨箱の収納個数は２個に限定されないし、収納数が２個よりも多い場合は、増加した納骨箱を退避できるように退避スペース１６を大きく設ければよい。
【００２６】
また、入出庫ステーション５ａ、５ｂ、台車７、入出庫用移載ステーション７ａ、７ｂを用いているが、コンベヤによりスタッカクレーンとトラバーサ間の搬送を行うこともできるし、同様にトラバーサ８、出庫用、回収用コンベヤ９、１０、出庫、回収用台車１１も同じ機能を有するものであれば、上記態様のものに限定されるものではない。
【００２７】
また、本実施の形態で説明した台車７、トラバーサ８、出庫用コンベヤ９、回収用コンベヤ１０等の搬送手段を用いず、スタッカクレーン４にて直接参拝コンベヤ１２にトレイ２を搬送することもできる。
【００２８】
本実施の形態で説明した自動納骨装置は、礼拝部１４の下方で水平方向にスライドする参拝コンベヤ１２により、複数の納骨箱３が収納されたトレイ２から参拝の対象となる納骨箱３のみ選択して、礼拝部１４の下方で、昇降装置１３の上方位置に搬送して定置し、昇降装置１３で礼拝部１４に搬送するので、従来装置のように、礼拝時にトレイを用いないため、トレイに装飾を施すことが必要でなくなり、大幅にコスト削減することができ、さらに、参拝コンベヤ１２を、礼拝部１４の下方より祭壇１５の下部に延長し、祭壇下部に参拝対象納骨箱３の前方の納骨箱３ａを退避する退避スペース１６を設け、供え物を供える祭壇１５の下部のデットスペースを有効活用することで、装置全体を小型化し、低コストの自動納骨装置を提供できる。
【００２９】
さらに、トレイ２は底面に昇降装置が挿通される開口２ａと、内側面に納骨箱３を定位置に案内するガイド２ｂを設けたので、トレイ２から参拝対象納骨箱３のみを礼拝部１４に搬送でき、また、納骨箱３はガイド２ｂによりトレイ２の定位置に収納されるため、搬送工程において安定した状態で納骨箱３を搬送することができる。
【００３０】
【実施の形態２】
以下、図８〜図１０を参照して、本発明の実施の形態２の自動納骨装置について説明する。
【００３１】
図８は実施の形態２の自動納骨装置の礼拝部での納骨箱の出庫・回収を示す平面図、図９は側面図、図１０は礼拝部の参拝時における側面図である。
【００３２】
本実施の形態では、納骨箱３はトレイ２上で礼拝部に対して横方向に２個並設されている。図において、１１は出庫用コンベヤ９、回収用コンベヤ１０と参拝コンベヤ１２を連係する出庫、回収用台車で、出庫用コンベヤ９、回収用コンベヤ１０間で、トラバーサ８と同一方向に横方向に移動し、礼拝部１４に対して横方向に並置された納骨箱３のうち参拝対象の納骨箱３を礼拝部１４の後方位置に搬送する。出庫、回収用台車１１と礼拝部１４下部間でトレイ２を搬送する参拝コンベヤ１２は、トレイ２を礼拝部１４下部に搬送し、礼拝部１４の下部で、参拝用コンベヤ１２の下方に設けられ、参拝コンベヤ１２に載置されたトレイ２から出庫・回収用台車１１で礼拝部１４の後方位置に搬送され、予め定められた納骨箱３を昇降装置１３で礼拝部１４間で昇降する。
【００３３】
参拝コンベヤ１２は、トレイ２に横方向に載置された納骨箱３のうち、参拝の対象ではない納骨箱をコンベヤ１２上で退避できるように横方向に並置された納骨箱３を載置できる退避スペース１６である幅を有している．。
【００３４】
以上説明したように、本実施の形態では、出庫、回収用台車１１と参拝コンベヤ１２で選択搬送装置を構成する。
【００３５】
次に、上記構成を備えた自動納骨装置の動作フローについて説明する。
【００３６】
まず、参拝者が参拝予約を行う。次に、ＣＰＵは該当する納骨箱３が収納されているトレイ２と、空いている礼拝部１４を指定し、スタッカクレーン４は該当する納骨箱３が格納されている格納棚１からトレイ２をフォークで移載し、出庫ステーション５ａに待機する台車７に搬送する。
【００３７】
次に、台車７で出庫用移載ステーション７ａに搬送し、トラバーサ８に移載して、トラバーサ８は予め定められた礼拝部１４に付設された出庫用コンベヤ９に搬送し、移載する。次に、トレイ２は出庫用コンベヤ９から出庫、回収用台車１１で指定された納骨箱３を礼拝部１４の後方に搬送し、参拝コンベヤ１２で礼拝部１４の下部に搬送し、昇降装置１３が作動し、参拝コンベヤ１２にて搬送されたトレイ２の昇降装置用開口２ａから荷受け部１３ａにて該当する納骨箱３を礼拝部１４に持ち上げて、参拝面３ｃを祭壇側に向けて定置し、参拝者は礼拝部１４に定置された納骨箱３に参拝する。参拝終了後の動作フローは実施の形態１と同じであり、説明を省略する。
【００３８】
また、上記実施の形態では、トレイ２に２個の納骨箱３を収納するものとして説明したが、納骨箱の収納個数は２個に限定されないし、収納数が２個よりも多い場合は、増加した納骨箱を退避できるような幅を有する参拝コンベヤ１２が用いられる。
【００３９】
【実施の形態３】
以下、図１１〜図１３を参照して、本発明の実施の形態３の自動納骨装置について説明する。
【００４０】
図１１は実施の形態３の自動納骨装置の礼拝部での納骨箱の出庫・回収を示す平面図、図１２は側面図、図１３は礼拝部の参拝時における側面図である。
【００４１】
本実施の形態では、納骨箱はトレイ２上で礼拝部方向及び横方向にそれぞれ２個並設されている。図において、１１は出庫用コンベヤ９、回収用コンベヤ１０と参拝コンベヤ１２を連係する出庫、回収用台車で、出庫用コンベヤ９、回収用コンベヤ１０間で、トラバーサ８と同一方向に横方向に移動し、礼拝部１４に対して横方向に並置された納骨箱３のうち参拝対象の納骨箱３を礼拝部１４の後方位置に搬送する。出庫、回収用台車と礼拝部１４下部間でトレイ２を搬送する参拝コンベヤ１２は、前後方向に並置された納骨箱のうち参拝対象の納骨箱３を礼拝部下部に搬送し、参拝コンベヤ１２に載置されたトレイ２から予め定められた納骨箱３を昇降装置１３で参拝コンベヤ１２の上方の礼拝部１４に搬出する。
【００４２】
参拝コンベヤ１２は、トレイ２に横方向に載置された納骨箱３のうち、参拝対象でない納骨箱３をコンベヤ上で退避できるように横方向に並置された納骨箱３を載置できる幅を有し、また、祭壇下部に、前方の納骨箱３ａが退避できる退避スペース１６を有している。
【００４３】
また、上記構成の実施の形態では、出庫、回収用台車１１と参拝コンベヤ１２とで選択搬送装置を構成する。
【００４４】
次に、上記構成を備えた自動納骨装置の動作フローについて説明する。
【００４５】
まず、参拝者が参拝予約を行う。次に、ＣＰＵは該当する納骨箱３が収納されているトレイ２と、空いている礼拝部１４を指定し、スタッカクレーン４は該当する納骨箱３が格納されている格納棚１からトレイ２をフォークで移載し、出庫ステーション５ａに待機している台車７に搬送する。
【００４６】
次に、台車７で出庫用移載ステーション７ａに搬送し、トラバーサ８に移載して、トラバーサ８は予め定められた礼拝部１４に付設された出庫用コンベヤ９に搬送し、移載する。次に、トレイ２は出庫用コンベヤ９から出庫、回収用台車１１で参拝対象の納骨箱３を礼拝部１４の後方に搬送し、参拝コンベヤ１２に移載する。参拝コンベヤ１２は、参拝対象の納骨箱３がトレイ２の前方に載置されている場合は、前方納骨箱３ａが礼拝部の下方位置に達すると搬送を停止する。
【００４７】
また、参拝対象の納骨箱３がトレイ２の後方に載置されている場合は、図１２に示すように、前方の納骨箱３ａが礼拝部前方の退避スペース１６に達し、後方の納骨箱３ｂが礼拝部の下部位置で、昇降装置１３の上方に達すると搬送を停止する。
【００４８】
次に、昇降装置１３が作動し、参拝コンベヤ１２にて搬送されたトレイ２の昇降装置用開口２ａから荷受け部１３ａにて該当する納骨箱３を礼拝部１４に持ち上げて、参拝面３ｃを祭壇側に向けて定置し、参拝者は礼拝部１４に定置された納骨箱３に参拝する。参拝終了後の動作フローは実施の形態１と同じであり、説明を省略する。
【００４９】
また、上記実施の形態では、トレイ２に礼拝部方向及び横方向にそれぞれ２個の納骨箱３を収納するものとして説明したが、納骨箱の収納個数はそれぞれ２個に限定されないし、収納数が２個よりも多い場合は、増加した納骨箱を退避できるような幅を有する参拝コンベヤ１２が用いられ、また、参拝コンベヤ１２の、退避スペース１６も納骨箱の増加分だけ大きくなる。
【００５０】
【発明の効果】
本発明の自動納骨装置は、礼拝部に複数の納骨箱が収納されるトレイから参拝対象納骨箱のみを搬送したため、従来装置に比して、コスト低減でき、また、祭壇下部のデットスペースに、参拝対象納骨箱の前方の納骨箱が退避できる退避スペースを設け、装置全体のスペースを有効活用することで、小型化、低コスト化を実現でき、さらには、搬送時はトレイに収納して搬送し、参拝時には参拝対象納骨箱をトレイから礼拝部に搬送できるようにしたため、搬送工程において、安定した状態で納骨箱を搬送できる自動納骨装置を提供できる。
【図面の簡単な説明】
【図１】本発明の実施の形態１の自動納骨装置の平面図である。
【図２】図１の自動納骨装置の側面図である。
【図３】図１の部分拡大概要図である。
【図４】図３の側面図である。
【図５】礼拝部の参拝時における側面図である。
【図６】トレイ及び納骨箱の正面図である。
【図７】（ａ）はトレイの正面図であり、（ｂ）は平面図である。
【図８】本発明の実施の形態２の自動納骨装置の部分拡大概要図である。
【図９】図８の側面図である。
【図１０】礼拝部の参拝時における側面図である。
【図１１】本発明の実施の形態３の自動納骨装置の部分拡大概要図である。
【図１２】図１１の側面図である。
【図１３】礼拝部の参拝時における側面図である。
【符号の説明】
１    格納棚
２    トレイ
２ａ  開口
２ｂ  ガイド
３    納骨箱
４    スタッカクレーン
５ａ  出庫ステーション
５ｂ  入庫ステーション
６    レール
７    台車
７ａ  出庫用移載ステーション
７ｂ  入庫用移載ステーション
８    トラバーサ
９    出庫用コンベア
１０  回収用コンベヤ
１１  出庫回収用台車
１２  参拝コンベヤ
１３  昇降装置
１３ａ  荷受け部
１４  礼拝部
１５  祭壇
１６  退避スペース
【図１】
2004270227.tif 000003
【図２】
2004270227.tif 000004
【図３】
2004270227.tif 000005
【図４】
2004270227.tif 000006
【図５】
2004270227.tif 000007
【図６】
2004270227.tif 000008
【図７】
2004270227.tif 000009
【図８】
2004270227.tif 000010
【図９】
2004270227.tif 000011
【図１０】
2004270227.tif 000012
【図１１】
2004270227.tif 000013
【図１２】
2004270227.tif 000014
【図１３】
2004270227.tif 000015